(57)【特許請求の範囲】
【請求項１】
高炉ガス（３）を生成する炉頂ガス循環高炉（１）を含む高炉設備を操業する方法であって、
ａ．前記高炉ガス（３）を脱炭酸して、ＣＯ２富化リッチテールガスの流れ（８）と、ＣＯ２の含有量が３％ｖｏｌ以下の脱炭酸高炉ガスの流れ（９）とを得るステップと、
ｂ．前記高炉により生成されなかった炭化水素含有ガス状燃料（１０）を変換して、ＣＯおよびＨ２の合計で少なくとも７０％ｖｏｌと、最大で７％ｖｏｌの炭化水素とを含む変換ガスの流れ（１５）を生成するステップと、
ｃ．発熱量が２．８〜７．０ＭＪ／Ｎｍ３であり、かつ（ｉ）前記テールガスの流れ（８）の一部と、（ｉｉ）前記変換ガスの流れ（１５、１８）の少なくとも第一の部分とを含む低発熱量のガス状燃料（２７）を生成し、および前記低発熱量のガス状燃料（２７）を、熱風炉（２０）を加熱するために使用するステップと、
ｄ．前記熱風炉（２０）内で前記脱炭酸高炉ガスの流れ（９）の少なくとも７０％ｖｏｌを７００℃〜１３００℃の温度まで加熱して、加熱された脱炭酸高炉ガス（２１、２９）を生成するステップと、
ｅ．前記加熱された脱炭酸高炉ガス（２１、２９）を前記高炉（１）内に注入するステップと
を含む、方法。
【請求項２】
前記炭化水素含有ガス状燃料（１０）は天然ガスおよび／またはコークス炉ガスを含む、請求項１に記載の方法。
【請求項３】
前記炭化水素含有ガス状燃料（１０）の部分燃焼が、前記変換ガスの流れ（１５、１８）を生成するために使用される、請求項１または２に記載の方法。
【請求項４】
燃料改質プロセスが、前記変換ガスの流れ（１５、１８）を生成するために使用される、請求項１〜３のいずれか一項に記載の方法。
【請求項５】
前記炭化水素含有燃料（１０）は、改質剤としてＣＯ２を使用して改質される、請求項４に記載の方法。
【請求項６】
前記熱風炉（２０）の上流で、強化された脱炭酸高炉ガスの流れ（１９）を得るために、前記変換ガスの流れ（１５、１８）の少なくとも一部が前記脱炭酸高炉ガス（９）と混合される、請求項１〜５のいずれか一項に記載の方法。
【請求項７】
前記低発熱量のガス状燃料（２７）は、前記強化された脱炭酸高炉ガスの流れの第一の部分（２６）を含む、請求項６に記載の方法。
【請求項８】
部分燃焼リアクタ（１４）内での前記炭化水素含有ガス状燃料の部分燃焼が、前記変換ガスの流れを生成するために使用され、前記強化された脱炭酸高炉ガスの流れ（１０）の第二の部分（１６）が、前記部分燃焼リアクタ（１４）を加熱するために使用される、請求項６または７に記載の方法。
【請求項９】
燃料改質プロセスが改質装置（１４）内で実行されて、前記変換ガスの流れ（１５、１８）が生成され、前記強化された脱炭酸高炉ガスの流れの第三の部分（１６）が、前記改質装置（１４）を加熱するために使用される、請求項６〜８のいずれか一項に記載の方法。
【請求項１０】
前記脱炭酸高炉ガスの流れ（９）の８０〜９０％ｖｏｌが前記熱風炉（２０）内で加熱され、および前記高炉（１）内に注入される、請求項１〜９のいずれか一項に記載の方法。
【請求項１１】
前記加熱された脱炭酸高炉ガスは、（ａ）炉床羽口（１ｂ）を介して、または（ｂ）炉床羽口（１ｂ）とシャフト羽口（１ｃ）も介して、前記高炉（１）内に注入される、請求項１〜１０のいずれか一項に記載の方法。
【請求項１２】
ＶＰＳＡ、ＰＳＡ、または化学的吸収ユニット（７）が前記高炉ガスの脱炭酸に使用される、請求項１〜１１のいずれか一項に記載の方法。
【請求項１３】
前記熱風炉（２０）は、前記低発熱量のガス状燃料（２７）を空気（２８）と燃焼させることによって加熱される、請求項１〜１２のいずれか一項に記載の方法。
【発明の詳細な説明】
【技術分野】
【０００１】
本発明は、炉頂ガス循環高炉での鉄の生産に関する。
【背景技術】
【０００２】
鉄鋼業界は、世界のＣＯ２排出量中の大きな比率を占める。現在、鉄鋼業によるこうした排出量、およびしたがって「カーボンフットプリント」を大幅に削減するための努力が払われ続けている。
【０００３】
鋼鉄の製造方法には２種類ある：
１．鉄鉱石およびコークスが装入され、石炭等の可燃物もまた燃料および還元剤として注入され得る高炉（ｂｌａｓｔ  ｆｕｒｎａｃｅ）（ＢＦ）内で鉄鉱石から鉄を生産する方法；その後、このようにして生産された鉄が酸素転炉（ｂａｓｉｃ  ｏｘｇｅｎ  ｆｕｒｎａｃｅ）（ＢＯＦ）内で精錬されて鋼鉄となる。
２．電気アーク炉（ｅｌｅｃｔｒｉｃ  ａｒｃ  ｆｕｒｎａｃｅ）（ＥＡＦ）内でスクラップまたは直接還元鉄（ｄｉｒｅｃｔ  ｒｅｄｕｃｅｄ  ｉｒｏｎ）（ＤＲＩ）を溶融する方法。
【０００４】
高炉方式は電気アーク炉方式よりかなり多くのＣＯ２を生成することが広く認められており、ＢＦ／ＢＯＦルートのＣＯ２排出量はＥＡＦ／ＤＲＩルートのＣＯ２排出量の約１．３倍、ＥＡＦ／スクラップルートのＣＯ２排出量の約４．３倍である。
【０００５】
高炉での鉄生産により生成されるＣＯ２排出量を削減するために、炉頂ガス循環高炉（ｔｏｐ  ｇａｓ  ｒｅｃｙｃｌｉｎｇ  ｂｌａｓｔ  ｆｕｒｎａｃｅ）（ＴＧＲＢＦ）が開発された。ＴＧＲＢＦは、高炉ガス（ｂｌａｓｔ  ｆｕｒｎａｃｅ  ｇａｓ）（ＢＦＧ）の実質的に全部を、そこからＣＯ２の実質的に全部を除去した後に高炉内に再注入するために使用することにより、コークス消費量およびＣＯ２排出量を削減する。ＴＧＲＢＦでは、従来の（ＴＧＲＢＦ以外の）噴射空気または酸素富化噴射空気の代わりに酸素が使用される。
【０００６】
ＴＧＲＢＦの概念の有効性は、パイロットスケール高炉を使って実証されている。高炉の炉頂ガスからＣＯ２を除去したもの（脱炭酸ＢＦＧ）をリサイクルすることにより、ＣＯ２排出量の約２５％を削減できることが証明された。ＣＯ２の隔離および（例えば地中）貯留を実現できれば、ＣＯ２排出量の約５０％を削減できる。
【０００７】
従来のＴＧＲＢＦ以外の高炉においては、ＢＦの上流の熱風炉内で（任意選択により酸素富化された）噴射空気を加熱することによりエネルギー効率の改善が図られている。
【０００８】
最も多くの場合、熱風炉の加熱に使用される主な燃料はＢＦＧである。したがって、ＢＦＧがしばしば少量のコークス炉ガス（ＣＯＧ）または天然ガス（ＮＧ）で増熱されて、火炎温度が熱風炉内で必要なドーム温度を達成できるように十分に高められる。
【０００９】
ＴＧＲＢＦの場合、エネルギー効率は、有利には、同様にＢＦの上流で脱炭酸ＢＦＧを加熱することにより向上させることができる。
【００１０】
欧州特許出願公開第Ａ−２５８４０５２号明細書には、ＴＧＲＢＦを含む高炉設備の特定の操業方法が記載されている。
【００１１】
前記の既知の方法によれば、高炉からの炉頂ガスがＣＯ富化プロセスガスの流れとＣＯ減損プロセスガスの流れとに分離される。欧州特許出願公開第Ａ−２５８４０５２号明細書による方法の例示されている好ましい実施形態によれば、燃料ガスおよび酸化性ガスがバーナに供給され、このようにして生成された高温の排ガスが再生式ヒータの加熱に使用される。燃料ガスは、低カロリテールガスと、コークス炉ガス等の高カロリガスとの混合物である。酸化性ガスは、空気または再生式ヒータからの排ガスと純酸素との混合物とすることができる。
【００１２】
加熱フェーズの後、ＣＯ富化プロセスガスは加熱された再生式ヒータ内で加熱され、還元ガスとして高炉に戻される（吹込みフェーズ）。
【００１３】
前記の既知の方法の１つの実施形態によれば、吹込みフェーズの開始時に再生式ヒータ内に酸化性ガスが存在しないことは、加熱から吹込みフェーズへの切り替え中に、まずバーナへの酸素供給を停止し、その一方で燃料ガス混合物を連続的にバーナに供給して、再生式ヒータ内に存在する残留酸素を使い切ることによって確実にされる。酸化性ガスの全部が再生式ヒータからなくなると、再生式ヒータへの燃料ガス混合物（および排ガス）の供給が中断され、前記再生式ヒータの吹込みフェーズを安全に開始できる。
【００１４】
しかしながら、ＴＧＲＢＦの場合と同様に、目的は、脱炭酸炉頂ガスを可能な限り多くリサイクルすることによって、コークスの消費とそれに伴うＣＯ２生成量とを最小化することであり、通常、リサイクルされた脱炭酸ＢＦＧを加熱する熱風炉を加熱するためのＢＦＧは、ほとんどまたは全く残らない。
【００１５】
パイロットスケールＴＧＲＢＦでの実証中、脱炭酸ＢＦＧは、プロパンまたは天然ガス等の補助的な高発熱量炭化水素ガス燃料を使ってペブルヒータ内で加熱された。
【発明の概要】
【発明が解決しようとする課題】
【００１６】
本発明の目的は、ＴＧＲＢＦのエネルギー効率を改善することである。より詳しくは、本発明の目的は、ＴＧＲＢＦのエネルギー効率を、リサイクルされた脱炭酸ＢＦＧを熱風炉で加熱することによって改善することである。本発明の他の目的は、リサイクルされた脱炭酸ＢＦＧを、ＴＧＲＢＦによって生成されたＢＦＧ以外の燃料をできるだけ使用せずに、熱風炉内で加熱することである。
【課題を解決するための手段】
【００１７】
本発明は、リサイクルされた炉頂ガスを加熱する熱風炉と、これらの熱風炉を加熱するのに有利な燃料ガスを生成するためのガス変換リアクタとを含むＴＧＲＢＦ設備内での鉄の生産に関する。
【００１８】
本発明は、より具体的には、ＢＦＧを生成するＴＧＲＢＦを含む高炉設備を操業する方法を提供し、これは、
ａ．生成されたＢＦＧを脱炭酸して、ＣＯ２富化リッチテールガスの流れと、ＣＯ２の含有量が３％ｖｏｌ以下の脱炭酸ＢＦＧの流れとを得るステップと、
ｂ．高炉により生成されなかった炭化水素含有ガス状燃料を変換して、合計（すなわち、ＣＣＯ＋ＣＨ２）で少なくとも７０％ｖｏｌ、好ましくは少なくとも８０％ｖｏｌ、より好ましくは少なくとも９０％ｖｏｌのＣＯおよびＨ２と、最大で７％ｖｏｌ、好ましくは最大で６％ｖｏｌの炭化水素とを含む変換ガスの流れを生成するステップと、
ｃ．発熱量が２．８〜７．０ＭＪ／Ｎｍ３、好ましくは５．５〜６．０ＭＪ／Ｎｍ３であり、かつ（ｉ）テールガスの流れの一部と、（ｉｉ）変換ガスの流れの少なくとも一部とを含む低発熱量のガス状燃料を生成し、および前記低発熱量のガス状燃料を、熱風炉を加熱するために使用するステップと、
ｄ．熱風炉内で脱炭酸ＢＦＧの流れの少なくとも７０％ｖｏｌを７００℃〜１３００℃、好ましくは８５０℃〜１０００℃、より好ましくは８８０℃〜９２０℃の温度まで加熱して、加熱された脱炭酸ＢＦＧを生成するステップと、
ｅ．加熱された脱炭酸ＢＦＧを高炉内に注入するステップと
を含む。
【００１９】
このようなＴＧＲＢＦプロセスにおいて、高炉の炉頂から出るＢＦＧを脱炭酸する前に、好ましくはそこから粉塵が除去され、いわゆる「クリーン」ＢＦＧが残る。ＴＧＲＢＦ除塵システムは、特に水とＢＦＧとの直接接触を通じて微細粉塵粒子を除去するスクラバおよび／または同様に微細粉塵を除去する電気集塵装置を含んでいてもよい。
【００２０】
ＢＦＧ、または除塵後のクリーンＢＦＧは、ＣＯ２除去システムに入り、脱炭酸される。ＣＯ２除去システムは、ＶＰＳＡ、ＰＳＡ、ＣＯ２をＢＦＧから物理的に分離する吸着剤を用いるシステム、またはＣＯ２をＢＦＧから除去するアミン等の化学的吸収剤を用いるシステムとすることができる。（クリーン）ＢＦＧの脱炭酸により、そこからＣＯ２の実質的に全部が除去され、「生成」ガス、すなわち、主としてＣＯおよびＨ２からなり、ＣＯ２およびＮ２が少量である脱炭酸ＢＦＧが残る。
【００２１】
ＴＧＲＢＦプロセスの限界内で、この生成ガスのうちの可能な限り多くが少なくとも７００℃、好ましくは少なくとも９００℃まで加熱されてから、それが高炉に、一般には炉床羽口において、または場合により炉床羽口と、スタックレベルのスタック羽口との両方で戻される。高炉に注入されるリサイクルされたＣＯおよびＨ２は、還元ガスを生成するために通常使用されるコークスからの炭素に置き換わり、酸化鉄鉱石を還元して金属鉄にする。
【００２２】
脱炭酸中にＢＦＧから除去されるＣＯ２は一般に、ガス脱炭酸ユニットから出るテールガスの約８０〜９０％を占める（ＣＯおよびＨ２は少量）。このテールガスは実質的に発熱量を有さす、したがって、不活性ガスとして使用できるか、または地中貯留のためにさらに処理できる。
【００２３】
一般に、ＢＦ熱風炉は、主に可燃物としてＣＯおよびＨ２を含む低発熱量ガスによって加熱されるように設計される。したがって、熱風炉を加熱するための低発熱量ガスの燃焼中に、大量の高温の燃焼ガスが生成される。熱風炉のバーナは通常、単純で堅牢な設計であり、セラミック煉瓦から製造され、低発熱量ガスを導入するための中央垂直ラインと周囲の水平空気穴とを有する。
【００２４】
低発熱量ガスは一般にＢＦＧであり、前記ＢＦＧはＣＯＧで増熱され（５．５〜６．０ＭＪ／Ｎｍ３）、熱風炉内で十分なドーム温度を達成するのに十分な火炎温度が得られるようにしてもよい。
【００２５】
ＣＯＧが利用できない、または利用可能なＣＯＧが別の用途に使用されるＢＦ操業の場合、（ＣＯＧの代わりに）ＮＧで増熱されたＢＦＧを使って、適当な発熱量が達成されてきた。しかしながら、「混合ガス」（ＢＦＧ＋ＮＧ）中に炭化水素が高い濃度で存在することにより、熱風炉のバーナおよび燃焼室において、ガス状炭化水素の燃焼特性により、激しく振動することがよくある。これらの振動は、熱風炉の設備に深刻な損傷を与えかねない。これらの振動は、少なくとも一部に、燃料中に存在する炭化水素の分解によると考えられている。ＢＦＧ＋ＣＯＧの炭化水素の含有量は低いため、このような混合物の場合にこの問題はそれほど顕著ではない。
【００２６】
したがって、炭化水素をほとんどまたは全く含まない低発熱量のガスを使用することによってのみ、ＢＦ熱風炉を確実に加熱することができる。
【００２７】
例えばＴＧＲＢＦの場合など、熱風炉の加熱に利用可能なＢＦＧが不十分であるときに熱風炉が使用される場合、熱風炉を加熱するには、ＢＦＧの代わりに、炭化水素をほとんどまたは全く含まない別の低発熱量燃料を使用しなければならない。
【００２８】
ＴＧＲＢＦの場合、例えば、ＣＯ２富化テールガス（発熱量が〜１．０ＭＪ／ｋｇ）を天然ガスまたはＣＯＧと混合して、熱風炉のために発熱量が５．５〜６．０ＭＪ／Ｎｍ３の低発熱量ガスを生成することを考慮できる。しかしながら、その場合、テールガスの増熱に必要な天然ガスまたはＣＯＧの量が多く、この混合物が従来の熱風炉の燃焼室で燃焼されるときに重大な振動の問題を生じるため、この選択肢は保持できない。
【００２９】
この例を、５．９ＭＪ／Ｎｍ３の発熱量を必要とする熱風炉を備える高炉設備に関して、以下の表１〜４に示す。
【００３０】
表１は、従来の（ＴＧＲＢＦ以外の）高炉により生成されたＢＦＧの一般的な組成および発熱量、ＣＯＧの一般的組成および発熱量、ならびに上述の発熱量に対応するＢＦＧとＣＯＧとの混合物（混合ガス）の組成を示している。
【００３１】
表１の最後の段は、ＴＧＲＢＦの場合に前記熱風炉がリサイクルされた脱炭酸ＢＦＧの流れを９００℃まで加熱できるのに十分なエネルギーを提供するために必要な混合ガスの体積、ならびに前記混合ガスに含まれるＢＦＧおよびＣＯＧのそれに対応する体積を示している。
【００３２】
発熱量が５．９ＭＪ／Ｎｍ３であり、ＢＦＧとＣＯＧとからなる混合ガスの場合、この混合ガスには体積で５．５％の炭化水素が含まれるであろう。
【００３３】
【表１】
0006513680.tif 000002
【００３４】
表２は、ＢＦＧが（ＣＯＧの代わりに）ＮＧで増熱され、それ以外の要素がすべて等しいときの状況を示している。その場合、混合ガスの炭化水素濃度は４０％増加する。これに加えて、混合ガスの水素濃度は７５％減少する。このような混合ガスは、その燃焼中に生成される振動により、熱風炉の加熱に適していない。
【００３５】
【表２】
0006513680.tif 000003
【００３６】
ＴＧＲＢＦ高炉においては、熱風炉内で使用するためのＢＦＧが不十分であるため、熱風炉を使用するのであれば、代わりの低発熱量燃料を発見するか、作り出さなければならないであろう。
【００３７】
表３および４は、低カロリガスがテールガス、およびそれぞれＣＯＧと天然ガスとを使って生成され、それ以外の要素は表１に関して説明したものと同じ仮説のケースを示している。
【００３８】
【表３】
0006513680.tif 000004
【００３９】
【表４】
0006513680.tif 000005
【００４０】
再び、表１に示されているＢＯＦとＣＯＧとからなる混合ガスと比較して、混合ガス中の炭化水素レベルがかなり高く、Ｈ２レベルがかなり低いことがわかり、それによって再び、これらの混合ガスが熱風炉の加熱に不適当となる。
【００４１】
それゆえ、本発明は明確に、ＴＧＲＢＦの場合のように、十分なＢＦＧが利用できない場合に高炉の熱風炉を加熱する際の使用に適した補助的な低発熱量ガス状燃料を作るための、大いに必要とされる方法を提供する。
【００４２】
本発明は、ＴＧＲＢＦのリサイクルされた脱炭酸ＢＦＧを加熱するために、従来のＢＦから知られている既存の（タイプの）熱風炉を引き続き使用する方法を提供する。これは、リサイクルされた脱炭酸ＢＦＧを加熱するための、全く新しいシステムを設計することによって達成される。
【００４３】
本発明の１つの実施形態によれば、炭化水素含有ガス状燃料は天然ガスおよび／またはコークス炉ガスを含む。一般に、炭化水素含有ガス状燃料は、天然ガスもしくはコークス炉ガス、またはその混合物からなる。
【００４４】
炭化水素含有ガス状燃料を変換する１つの方法は、その部分燃焼である。炭化水素含有燃料の別の変換方法は、燃料改質プロセスの利用である。これらの方法はまた、組み合わせても使用できる。
【００４５】
そのため、当技術分野では改質プロセスを使ってＢＦＧを改善することが知られている。
【００４６】
米国特許第３，８８４，６７７号明細書は、炭化水素、好ましくは油を使って、ＢＦＧ中のＣＯ２を炭化水素と反応させて、生成ガス中に高炉に戻されるＣＯ２がほとんど残らないようにすることによって高炉ガスを「再生」することを教示している。ＣＯ２除去プロセスは、従来のプロセスを通じて遂行され、リサイクルガスのＣＯ２含有量を低化させるための（Ｖ）ＰＳＡまたは化学的吸収剤を使用しない。このプロセスの最大の欠点は、反応の実行に高炉ガスの約１／２が燃料として必要であることである。その結果、リサイクルのための残りのＢＦＧはより少なく、したがって、置き換え可能なコークスの量が限定される。しかしながら、ＢＦＧの約１／２が「再生」されるが、処理しなければならないガスの総量はかなり多く、すなわち８００〜１０００Ｎｍ３  ＢＦＧ／ｔｈｍ程度である。これによって、膨大な量のガスを処理できるリアクタを建造するために相当な資本投入が必要となる。
【００４７】
米国特許出願公開第２０１１／０２０９５７６  Ａ１号明細書は、固体炭化水素の使用を教示しており、これはまず、フラッシュ脱蔵されて合成ガスが作られ、それが回収された炉頂ガスを改質プロセスにより処理するために使用される。この発明の目的は、ＢＦＧ中のＣＯ２をＣＯに変換する代わりに、フラッシュ脱蔵ユニット内で作られた合成ガスで改質することによって、（Ｖ）ＰＳＡまたは化学的吸収ユニット等のＣＯ２除去システムを不要にすることである。この発明は、米国特許出願公開第２０１１／０２０９５７６  Ａ１号明細書に、必要な資本投資額は（Ｖ）ＰＳＡに必要な額より小さいとの記載はあるものの、大量のＢＦＧを変換する必要があり、実質的な投資を要するという点で、米国特許第３，８８４，６７７号明細書と同じ問題を有する。
【００４８】
本発明に関連して、炭化水素含有燃料を改質するための１つの考えられる方法は、蒸気改質である。炭化水素含有燃料の好ましい改質方法では、改質剤としてＣＯ２を使用する。これは当技術分野で、乾式改質として知られる。本発明によれば、乾式改質（ＣＯ２を使用）は、ＣＯＧ、ＮＧ、または高炉により生成されない他のあらゆる炭化水素燃料等の炭化水素含有ガス状燃料を改質するために既知の方法で使用できる。その場合、改質プロセスは好ましくは、ＣＯ２を豊富に含む（一般に８０〜９０％ｖｏｌ）テールガスを使って炭化水素含有燃料を処理し、ＣＯおよびＨ２を豊富に含むガスを生成し、これは、前記ガスをテールガスで希釈して熱風炉燃焼と適合する程度まで発熱量を下げた後に容易に熱風炉内で燃焼できる。本発明によれば、好ましくはテールガスの状態の蒸気とＣＯ２との両方を、変換ガスの流れを生成するための改質剤として使用することも可能である。
【００４９】
低発熱量のガス状燃料は、変換ガスの流れの全部または少なくとも一部とテールガスの流れの一部との混合物からなっていてもよく、テールガスで変換ガスが希釈され、それによって発熱量が熱風炉の安全な動作に必要なレベルまで下がる。
【００５０】
好ましい実施形態によれば、熱風炉の上流で、変換ガスの流れの少なくとも一部が脱炭酸ＢＦＧと混合されて、強化された脱炭酸ＢＦＧの流れが得られる。脱炭酸ＢＦＧを強化することによって、生成ガスの水素含有量が増大して高炉プロセスが改善され、水素は高炉の安定化に役立つことが知られているため、スムーズな還元プロセスが提供される。
【００５１】
この場合、低発熱量ガス状燃料は、強化された脱炭酸ＢＦＧの流れの第一の部分を含むか、それからなっていてもよい。部分燃焼リアクタ内での炭化水素含有ガス状燃料の部分燃焼を使って変換ガスの流れを生成する場合、強化された脱炭酸ＢＦＧの流れの第二の部分が、部分燃焼リアクタを加熱するために使用されてもよく、この場合、前記第二の部分は好ましくは空気と燃焼する。燃料改質プロセスが改質装置内で行われて、変換ガスの流れが生成される場合、強化された脱炭酸ＢＦＧの流れの第三の部分は、例えば前記第三の部分を空気と燃焼させることによって、改質装置を加熱するために使用されてもよい。これに関して、強化された脱炭酸ＢＦＧの流れの第一、第二および第三の部分への言及は、単に前記部分の異なる用途を区別するためのものにすぎない。「第二の部分」への言及は、必ずしもプロセス内で「第一の部分」も使用されることを必要とするとはかぎらず、また、「第三の部分」への言及も、必ずしも「第一の部分」および／または「第二の部分」も使用されることを必要とするとはかぎらない。しかしながら、本発明によれば、前記「第一の部分」、「第二の部分」および「第三の部分」を如何様に組み合わせて使用することも完全に可能である。
【００５２】
それゆえ、本発明によれば、高炉ガスから得られる、例えば（Ｖ）ＰＳＡにより生成され、ＣＯ２を８５〜９５％ｖｏｌ含むテールガスを使って炭化水素含有ガス状燃料、例えばコークス炉ガスおよび／または天然ガスを改質して、リサイクルされた脱炭酸ＢＦＧをそれが高炉に注入される前に強化することが可能となる。本発明のこの実施形態では、高発熱量ガス（炭化水素をほとんどまたは実質的に全く含まない）を提供するのに十分な余分の脱炭酸ＢＦＧが提供され、これはその後、残りのテールガスと混合して、熱風炉を加熱するための低発熱量燃料を作ることができる。それと同時に、リサイクルされた脱炭酸ＢＦＧ中の水素の割合が高められ、それによってコークスの消費量をさらに削減し、それゆえ、全体としてのＣＯ２排出量も削減できる。
【００５３】
有利には、脱炭酸ＢＦＧの流れの１００％ｖｏｌ未満がリサイクルされ、高炉内に注入される。好ましくは、脱炭酸ＢＦＧの流れの８０〜９０％ｖｏｌが熱風炉内で加熱されて、高炉へと注入される。
【００５４】
ＴＧＲＢＦの成功は、可能な限り多くの脱炭酸ＢＦＧをリサイクルする能力に依存する。しかしながら、ＢＦＧのリサイクルにより、高炉プロセスにおいて窒素蓄積等の新たな問題が生じる可能性がある。窒素には高炉内で多くの用途があり、例えば、（ｉ）微粉炭を羽口まで運ぶため、（ｉｉ）器具のパージ、（ｉｉｉ）ロックホッパに供給される材料の加圧等に使用され、表１〜４に示されているように、従来のＢＦの場合のように空気または酸素富化空気の代わりに酸素で操業されるＴＧＲＢＦの場合でも、ＢＦＧには幾分かの窒素が含まれる。ＢＦＧ中の窒素のほとんどは、炉頂から出て、ガスクリーニングシステム（存在する場合）を通り、ＣＯ２除去システムを通り、それが脱炭酸ＢＦＧと共に高炉に戻る。それゆえ、脱炭酸ＢＦＧのリサイクルにより、ＴＧＲＢＦのガス循環路内の窒素蓄積物は還元ガスを希釈し、その結果、生産性が損なわれるか、または生産性を保つために高炉の燃料率を増大させることが必要になる可能性がある。脱炭酸ＢＦＧの一部のパージ、すなわち、脱炭酸ＢＦＧの前記部分を高炉に戻さないことによって、ＢＦＧ内のこのような窒素の蓄積を防止することが可能である。
【００５５】
本発明の、および特に変換ガスの流れの全部または少なくとも一部が脱炭酸ＢＦＧと混合されて脱炭酸ＢＦＧが強化される実施形態の特定の利点は、本発明のプロセスにより、脱炭酸ＢＦＧを高炉にリサイクルすることと熱風炉を加熱することとの両方のために、十分な炉頂ガスおよびしたがって脱炭酸ＢＦＧも提供されることである。
【００５６】
加熱された脱炭酸ＢＦＧは、炉床羽口を介して、および任意選択によりシャフト羽口も介して、高炉内に注入されてよい。
【００５７】
前述のように、ＶＰＳＡ、ＰＳＡ、または化学的吸収ユニットがＢＦＧの脱炭酸に使用されてもよい。
【００５８】
熱風炉を加熱するために、低発熱量ガス状燃料は、いずれの適当な燃焼酸化剤で燃焼されてもよく、これは一般には空気である。
【００５９】
本発明は、利用可能なＣＯ２除去技術の使用を活用する。比較的少量のガス、すなわち炭化水素含有ガス状燃料が変換されて、ＣＯおよびＨ２を豊富に含むガスが生成され、これは他のテールガスで希釈された後に熱風炉内で直接使用でき、および／またはＣＯ２除去ユニットからの脱炭酸ＢＦＧと混合して、リサイクルガスをＨ２富化し、それによって高炉内での還元をより容易にするために使用できる。
【００６０】
ＣＯおよびＨ２富化ガスがＣＯ２除去ユニットからの脱炭酸ＢＦＧと混ざると、より高発熱量の富化された脱炭酸ＢＦＧが生成され、その一部を、残りのテールガスの一部で希釈した後に熱風炉を加熱するために使用できる。高炉に注入される残りのリサイクルされた脱炭酸ＢＦＧは、その脱炭酸ＢＦＧの全部を単にリサイクルするＴＧＲＢＦと少なくとも同じコークス比低減を実現するのに十分である。その目的は、熱風炉を加熱するために十分なＣＯ＋Ｈ２富化ガスを提供し、それと同時に、すべての生成ガスを実質的にリサイクルすることによって予想される当初の大幅なコークス比の低減を維持することである。
【００６１】
本発明とその利点とは、図１および２に関して説明されている以下の例を読めば、よりよく理解されるであろう。
【図面の簡単な説明】
【００６２】
【図１】本発明によるプロセスの２つの実施形態の概略図である。
【図２】本発明によるプロセスの２つの実施形態の概略図である。
【発明を実施するための形態】
【００６３】
図１は、本発明の好ましい実施形態を示している。高炉１には、炉頂からコークスおよび鉄鉱石２が装入され、これが高炉１内で降下する。実質的に純粋な酸素２２、微粉炭（または他の有機可燃物質）２３が、リサイクルされた脱炭酸高炉ガス（生成ガスとも呼ばれる）２１と共に炉床羽口１ｂに注入される。任意選択により、リサイクルされた生成ガスの一部２９がシャフト羽口１ｃに注入され、高炉内で炉床羽口において生成されたガスと組み合わされて、還元ガス１ｄを生成し、これは高炉１内で上昇して鉄鉱石およびコークス２と接触し、鉄鉱石に含まれる酸化鉄を還元して金属鉄とする。この金属鉄は、引き続き高炉１の底部へと降下して、そこで酸化物の不純物を含むスラグと共に除去（排出）される１ａ。高炉ガス（ＢＦＧ）３は高炉１から出て、初期除塵ユニット４へと移動し、そこで、粉塵中の大型粒子が除去される。続いて第二の除塵システム５へと進み、これは粉塵の微粒子を除去して「クリーンガス」６を生成する。クリーンガス６は、任意選択で脱水され、その後、ＣＯ２除去システム７に入る。ＣＯ２除去システム７は、真空圧力スイング吸着システム（ｖａｃｕｕｍ  ｐｒｅｓｓｕｒｅ  ｓｗｉｎｇ  ａｄｓｏｒｐｔｉｏｎ  ｓｙｓｔｅｍ）（ＶＰＳＡ）、圧力スイング吸着システム（ｐｒｅｓｓｕｒｅ  ｓｗｉｎｇ  ａｄｓｏｒｐｔｉｏｎ  ｓｙｓｔｅｍ）（ＰＳＡ）、または化学的吸収システム、例えばアミンベースの吸収システム、または（クリーン）ＢＦＧからＣＯ２を除去する他のあらゆる種類のシステムとすることができる。現実的に除去不可能な部分（＜１０％ｖｏｌ）を除き、ＣＯ２の実質的に全部が７で除去される。
【００６４】
クリーンガスの流れ６はＣＯ２分離中に２つの流れ、すなわちＣＯ２富化テールガス８とＣＯ２減損生成ガスまたは脱炭酸ＢＦＧ  ９とに分割される。ＣＯ２富化テールガス８は補助的な燃料ガス１０、および必要に応じて流れ１０ａと混合されてガス組成物１１を提供し、これを改質または部分燃焼して、（ａ）熱風炉を加熱するための低発熱量燃料中での使用、および（ｂ）高炉内にリサイクルするための脱炭酸ＢＦＧ  ９との混合に適した（以下参照）、所望の（低炭化水素の）ＣＯ＋Ｈ２含有混合物が生成される。改質または部分燃焼プロセス中で使用されるＣＯ２富化テールガスの量は、使用されるプロセス、混合物の処理（改質および／または部分酸化）プロセス、およびリアクタ１４内の圧力に依存する。リアクタ１４内で、および低発熱量燃料中で使用される（以下参照）テールガス８の量はバルブ８ｂおよび２５ａを用いて調整され、これはまた、システムから出る（パージ）テールガス８ａの量も決定する。
【００６５】
ＣＯ２減損生成ガスの流れ（脱炭酸ＢＦＧ）９は、ＣＯ２除去システム７から上昇した圧力（一般に４〜８ｂａｒ）で排出され、ＮＧまたはＣＯＧの改質および／または部分酸化から得られる合成ガス（変換ガス）１８で強化され、前記合成または変換ガスは主としてリアクタ１４からのＣＯおよびＨ２からなる。ＣＯＧまたはＮＧ  １０と（任意選択による）流れ１０ａおよびＣＯ２富化テールガス８は通常、１４内で行われる改質および／または部分酸化プロセスの反応速度を改善するために加圧する必要がある。これらのガスの加圧はコンプレッサ１２によって行われ、加圧されたガス混合物１３が生成されて、これらがリアクタ１４内で改質および／または部分燃焼される。ガス１３を、ＣＯとＨ２とを豊富に含む混合物（流れ１５）に変換した後に、ガス１５は、高炉への注入に適した圧力まで減圧する必要があり得る。これは、ガスエキスパンダ１７を用いて達成される。エキスパンダの入口と出口との間の圧力低下に応じて、エキスパンダ１７からのエネルギーを使って発電できる。
【００６６】
強化されたガスの流れ１９は、流れ９を流れ１８と混合することから得られる。流れ１９の一部２６は、分岐されて熱風炉を加熱するための低発熱量燃料として使用されることになる「混合ガス」２７を作る。流れ１９の、混合ガス２７に使用されるこの部分２６は、バルブ２６ａを使って調整される。混合ガス２７は、熱風炉２０の加熱に適した発熱量を有する。混合ガス２７は、ＣＯ２富化テールガスの一部２５を使って生成され、その部分２５の流速は、流れ１９の一部２６と混合されるようにバルブ２５ａにより調整される。混合ガス２７の発熱量は一般に低く（５．５〜６．０ＭＪ／Ｎｍ３）、混合ガスは、（ａ）熱風炉の燃焼室内の振動を防止するために炭化水素の含有量が低く、（ｂ）スムーズな燃焼を容易にするためにＣＯおよびＨ２の含有量が高い。流れ１９の他の部分（流れ１６）は、リアクタ１４を加熱するための燃料として使用される。流れ１６の流速は、バルブ２６ｂを使って調整される。空気の流れ２８は、熱風炉を加熱するための流れ２７を燃焼させるための酸化剤として使用され、空気の流れ２４は、リアクタ１４を加熱するための流れ１６を燃焼させるための酸化剤として使用される。
【００６７】
強化されたガスの流れ１９は熱風炉２０内で加熱されて、７００℃より高く、１３００℃もの高さの温度のガスの流れ２１および２９が生成される。しかしながら、高炉までのパイプラインをライニングする酸化物耐火材が減少する可能性を防止するために、流れ２１の好ましい温度は８５０℃〜１０００℃、より好ましくは８８０℃〜９２０℃である。ガスの流れ２９は、特定のＴＧＲＢＦの構成に応じて使用されてもされなくてもよい。流れ２１および２９間の流速の分配はバルブ３０によって制御される。
【００６８】
図２は第二の実施形態を示しており、高炉１に炉頂からコークスおよび鉄鉱石２が装入され、それが高炉内で降下する。実質的に純粋な酸素２２、微粉炭（または他の有機可燃物質）２３が、リサイクルされた脱炭酸高炉ガス（生成ガス）２１と共に炉床羽口１ｂに注入される。任意選択により、リサイクルされた生成ガスの一部２９がシャフト羽口１ｃに注入され、高炉内で炉床羽口において生成されたガスと組み合わされて、還元ガス１ｄを生成し、これは高炉１内で上昇して鉄鉱石およびコークス２と接触し、鉄鉱石に含まれる酸化鉄を還元して金属鉄とする。この金属鉄は、引き続き高炉の底部へと降下して、そこで酸化物の不純物を含むスラグと共に除去（排出）される１ａ。高炉ガス（ＢＦＧ）３は高炉１から出て、初期除塵ユニット４へと移動し、そこで、粉塵中の大型粒子が除去される。続いて第二の除塵システム５へと進み、これは粉塵の微粒子を除去して「クリーンガス」６を生成する。クリーンガス６は、任意選択で脱水され、その後、ＣＯ２除去システム７に入る。ＣＯ２除去システム７は、真空圧力スイング吸着システム（ＶＳＰＡ）、圧力スイング吸着システム（ＰＳＡ）、およびアミン等の化学的吸収システム、または「クリーンガス」からＣＯ２を除去する他のあらゆる種類のシステムとすることができる。現実的に除去不可能な部分（＜１０％）を除き、ＣＯ２の実質的に全部が７で除去される。
【００６９】
クリーンガスの流れ６はＣＯ２分離中に２つの流れ、すなわちＣＯ２富化テールガス８とＣＯ２減損生成ガス（脱炭酸ＢＦＧ）９とに分割される。ＣＯ２富化テールガス８は補助的燃料１０、および必要に応じて流れ１０ａと混合されてガス組成物１１を提供し、これを改質または部分燃焼して、熱風炉を加熱するための低発熱量燃料中で使用するための所望の（低炭化水素の）ＣＯ＋Ｈ２混合物が生成され得る。改質または部分燃焼プロセス中で使用されるＣＯ２富化テールガスの量は、使用されるプロセス、混合物の処理（改質または部分酸化）プロセス、およびリアクタ１４内の圧力に依存する。そのために使用されるテールガス８の量はバルブ８ｂおよび２５ａを用いて調整され、これはまた、システムから出るテールガス８ａの量も決定する。
【００７０】
ＣＯ２減損生成ガスの流れ９は、上昇された圧力（一般に４〜８ｂａｒ）でＣＯ２除去システム７から出て、高炉内でリサイクルされる部分１９とリアクタ１４とを加熱するために使用される別の部分１６に分割される。ＣＯＧまたはＮＧ  １０および流れ１０ａと、ＣＯ２富化テールガス８とは通常、リアクタ１４内で起こる改質または部分酸化プロセスの反応速度を改善するために加圧する必要がある。これらのガスの加圧はコンプレッサ１２で行われ、加圧されたガスの混合物１３が生成され、これはリアクタ１４内で改質および／または部分燃焼される。ガス１３をＣＯおよびＨ２を豊富に含む混合物（流れ１５）に変換した後、ガスの流れ１５は、高炉内に注入するのに適当な圧力に減圧する必要があり得る。これは、ガスエキスパンダ１７を使って行われる。ガスエキスパンダ１７の入口と出口との間の圧力低下に応じて、エキスパンダからのエネルギーを発電に使用できる。ＣＯおよびＨ２富化の流れ１５が１７で膨張されて、今度はＣＯおよびＨ２が適切に豊富であり、かつ炭化水素が十分に減損した流れ１８となった後に、これは、熱風炉内で使用されるのに十分に低い発熱量（５．５〜６．０ＭＪ／Ｎｍ３）（流れ２７）とするために、ＣＯ２リッチな流れ２５と混合される。空気の流れ２８は、熱風炉を加熱するための燃焼酸化剤の流れ２７として使用され、空気の流れ２４は、リアクタ１４を加熱するための燃焼酸化剤の流れ１６として使用される。
【００７１】
生成ガスの流れ１９は熱風炉２０内で加熱されて、７００℃より高く、１３００℃もの高さの温度のガスの流れ２１および２９が生成される。しかしながら、高炉までのパイプラインをライニングする酸化物耐火材が減少する可能性を防止するために、流れ２１の好ましい温度は８５０℃〜１０００℃、より好ましくは８８０℃〜９２０℃である。ガスの流れ２９は、特定のＴＧＲＢＦの構成に応じて使用されてもされなくてもよい。流れ２１および２９間の流速の分配はバルブ３０によって制御される。
【００７２】
表５は、一方で、欧州においてパイロットスケールで実証された先行技術のＴＧＲＢＦと、他方で、図１に示されるような本発明の好ましい実施形態によるＴＧＲＢＦとの違いを、改質された天然ガスおよび改質されたＣＯＧがリサイクルされた炉頂ガスの強化に使用される場合の両方について示す。
【００７３】
この例は、ＴＧＲＢＦの性能を計算するために最初に使用された高炉モデルを使って、実際の高炉データから、還元効率と熱損失とを考慮して計算された。
【００７４】
このモデルは、加熱された（９００℃）リサイクルガスの５０％を炉床羽口から、および５０％をシャフト羽口から注入するＴＧＲＢＦをシミュレートしている。
【００７５】
次に、熱風炉の動作に関する本発明の利点を説明するために、ＴＧＲＢＦの動作を、ＦｅＯレベルで同じガス利用、同じ熱損失総量、および下側高炉での熱損失の同じ割合の好ましい実施形態を含むようにモデル化した。
【００７６】
ＣＯＧの水素含有量により、コークス比の最大の削減は、本発明の好ましい実施形態において教示されているように、改質されたＣＯＧを使用するＴＧＲＢＦについて予測される。ＣＯＧと共に本発明を使用した場合には、２５ｋｇ／ｔｈｍのコークス比削減が期待される。改質された天然ガスを使用した場合にも大幅なコークス比削減を達成でき、本発明によって２１ｋｇ／ｔｈｍのコークス比削減を予測できる。
【００７７】
表５に示される３つのケースのすべてにおいて、レースウェイ断熱火炎温度（ＲＡＦＴ）と炉頂温度とは、高炉操業者により一般に受け入れられている限度内である。しかしながら、表５の基準ＴＧＲＢＦは、ＲＡＦＴ（２３００℃）と炉頂ガス温度（２００℃）との両方において、その最大限度で動作している。好ましい実施形態を使ったＴＧＲＢＦに関して計算された予測は、ＲＡＦＴが一般に合意されている最大値より十分に低く、高炉がより快適に動作することを示している。本発明の好ましい実施形態を用いたＴＧＲＢＦには、供給する必要がある酸素がより少ない。
【００７８】
表５はまた、ＣＯＧまたはＮＧから改質され、脱炭酸高炉ガスを強化するために使用される余分なガスによって、リサイクル比全体（表５の最後の段）が８０．０〜８１．５％までどのように低下するかも示している。これにより、
・熱風炉を加熱し、
・改質装置を加熱し、
・還元の反応速度を改善する
ために十分な残留ガスが得られる。
【００７９】
これは、より大幅なコークス比削減を実現するために９０％より多くをリサイクルする必要のある基準ＴＧＲＢＦと対照的である。リサイクルされた供給ガスの残留分（〜１０％）は、熱風炉の加熱には不十分であり、この場合、熱風炉の加熱に燃料（ＣＯＧまたはＮＧ）を使用することが必要となるであろう。
【００８０】
【表５】
0006513680.tif 000006
【図１】
0006513680.tif 000007
【図２】
0006513680.tif 000008